(57)【要約】【課題】日本刀と類似の形態、重量とすることで使用感覚を実際の刀に近づけると共に、稽古や試合中の打突時に怪我をする虞がなく、破損などにより使用できなくなる虞のない模擬刀を提供する。【解決手段】刀の柄部本体と、刀身部と、その間を仕切った刀鍔部と、より構成した武術練習用模擬刀において、刀の柄部本体、かつ刀身部に渡って塩化ビニールパイプを共通芯材として設け、刀身部は共通芯材の塩化ビニールパイプの外表面に発泡スチロールを囲繞すると共にその先端面に弾性緩衝材を配設して、細長手状の厚手布袋中に発泡スチロールと共に塩化ビニールパイプを収納して構成し、刀の柄部本体は共通芯材の上下周面に上下棒状木材を当接し、共通芯材と共に上下棒状木材の表面を紐体で巻きつけて柄部本体とした模擬刀とする。【選択図】図１
2020025807.tif 000002
【特許請求の範囲】
【請求項１】
刀の柄部本体と、
刀身部と、
その間を仕切った刀鍔部と、
より構成した武術練習用模擬刀において、
刀の柄部本体、かつ刀身部に渡って塩化ビニールパイプを共通芯材として設け、
刀身部は共通芯材の塩化ビニールパイプの外表面に発泡スチロールを囲繞すると共にその先端面に弾性緩衝材を配設して、細長手状の厚手布袋中に発泡スチロールと共に塩化ビニールパイプを収納して構成し、
刀の柄部本体は共通芯材の周面のうち上下側半円弧周面に上下棒状木材を当接し、共通芯材と共に上下棒状木材の表面を紐体で巻きつけて略断面楕円形の柄部本体とした模擬刀。
【請求項２】
刀身部の周面の上下半月弧位置に長手方向に向かって上下の目印ラインを表示したことを特徴とする請求項１に記載の模擬刀。
【請求項３】
刀の柄部本体と刀身部との略直径の大きさを比１：２としたことを特徴とした請求項１または２に記載の模擬刀。
【発明の詳細な説明】
【技術分野】
【０００１】
本発明は、日本古来の剣術などの武術競技や、スポーツあるいは娯楽などに用いる模擬刀に関する。
【背景技術】
【０００２】
従来、スポーツ競技や娯楽として剣術が行われている。このような剣術の試合及び練習に使用される模擬刀は、安全性が重視されており、競技者の身体を傷つけることなく剣術を体得できる刀が望まれている。そのような安全性と剣術の体得の２面性を有する競技用の模擬刀として種々のものが開発されている（例えば、特許文献１，２）。
【０００３】
特許文献１では、中空管状の芯部材を刀の全長と同程度の長さに形成し、刀の刀身部に該当する部分の芯部材を緩衝材で囲繞し、さらに、この緩衝材と芯部材とを被覆材でまとめて囲繞することで安全性を備えた模擬刀の構成について開示している。
【０００４】
また、特許文献２では、複数の円筒状のパイプを並列に重ねることで径方向断面を楕円形状に形成し、このパイプの先端側を刀身部とし、基端側をグリップとした芯部材と、この刀身部に巻きつけて固定した衝撃吸収用の刀身衝撃材と、刀身衝撃材を包み固定した袋状のカバーと、芯部材のグリップ部に固定したグリップ緩衝材と、芯部材の先端を塞ぐキャップ材とで構成することで安全性を備えた模擬刀とする構成について開示している。
【先行技術文献】
【特許文献】
【０００５】
【特許文献１】特開２０１２−０７５７４３号公報
【特許文献２】特開２０１５−００２８４９号公報
【発明の概要】
【発明が解決しようとする課題】
【０００６】
しかし、特許文献１に記載の技術は、緩衝材により安全性は確保されているものの実際の刀の形態とは異なるため、模擬刀としての使用感覚が異なっていた。また、特許文献２に記載の技術は、複数のパイプを並列に重ねることで刀の形状を形成するため、練習や試合中に刀同士を接触させると複数のパイプの位置関係が崩れて刀身形状が維持できなくなる虞があった。
【０００７】
そこで、本発明はかかる問題点を鑑みてなされたものであり、その目的とするところは、日本刀と類似の形態を形成し、使用感覚を実際の刀に近づけると共に、稽古や試合中の打突時に怪我をする虞がなく、また、破損などにより使用できなくなる虞のない模擬刀を提供することである。
【課題を解決するための手段】
【０００８】
本発明の態様の１つは、刀の柄部本体と、刀身部と、その間を仕切った刀鍔部と、より構成した武術練習用模擬刀において、刀の柄部本体、かつ刀身部に渡って塩化ビニールパイプを共通芯材として設け、刀身部は共通芯材の塩化ビニールパイプの外表面に発泡スチロールを囲繞すると共にその先端面に弾性緩衝材を配設して、細長手状の厚手布袋中に発泡スチロールと共に塩化ビニールパイプを収納して構成し、刀の柄部本体は共通芯材の周面のうち上下側半円弧周面に上下棒状木材を当接し、共通芯材と共に上下棒状木材の表面を紐体で巻きつけて略断面楕円形の柄部本体としたことを特徴とする模擬刀である。
【０００９】
また、本発明の選択的な態様の１つにおいて、刀身部の周面の上下半月弧位置に長手方向に向かって上下の目印ラインを表示したことを特徴とする模擬刀である。
【００１０】
また、本発明の選択的な態様の１つにおいて、刀の柄部本体と刀身部との略直径の大きさを比１：２としたことを特徴とする模擬刀である。
【発明の効果】
【００１１】
本発明にかかる模擬刀によれば、刀の柄部本体と、刀身部と、その間を仕切った刀鍔部と、より構成した武術練習用模擬刀において、刀の柄部本体、かつ刀身部に渡って塩化ビニールパイプを共通芯材として設け、刀身部は共通芯材の塩化ビニールパイプの外表面に発泡スチロールを囲繞すると共に、その先端面に弾性緩衝材を配設して、細長手状の厚手布袋中に発泡スチロールと共に塩化ビニールパイプを収納して構成し、刀の柄部本体は共通芯材の上下周面に上下棒状木材を当接し、共通芯材と共に上下棒状木材の表面を紐体で巻きつけて柄部本体としたため、練習や試合中に刀身同士を接触したとしても変形することなく長期間使用できる。
また、塩化ビニールで構成した共通芯材を発泡スチロールで囲繞することで打撃した際の衝撃を吸収する緩衝材として作用し、対戦相手に打突した際にも相手を傷つける虞を可及的に低減している。
さらに、共通芯材を発泡スチロールで囲繞するように刀身部を構成しているため、万一共通芯材が折れた際にも最内の共通芯材を交換するだけで修復可能な構成としている。
また、厚手布袋で刀身部を囲繞しているため、共通芯材や発泡スチロールが破損したとしてもその破片が飛散する虞を可及的に低減している。
また、刀の柄部本体を共通芯材である塩化ビニールの上下周面に上下棒状木材を当接し、その上下棒状木材を紐体で巻きつける構成としたため、柄部本体が断面楕円形状となり、人の手で掴み易い形状を形成して練習中や試合中に模擬刀が手から抜け落ちる虞を可及的に低減している。また、刀の柄部本体を楕円形状にすることで刀身部の刃と峰の方向を手で握った感触で認識でき、刃の方向がどこを向いているかを視認する必要がない。
【００１２】
また、本発明の請求項２に係る模擬刀によれば、刀身部の周面の上下半月弧位置に長手方向に向かって上下の目印ラインを表示したため、練習や試合中に対戦相手に刃が接触したかそれ以外の部分が接触したかが判定し易い。
【００１３】
また、本発明の請求項３に係る模擬刀によれば、刀の柄部本体と刀身部との略直径の大きさを比１：２としたため、刀身部の幅が広く試合での判定がし易い効果がある。また、柄部本体の直径を小さくすることで握り易い形態とし、さらに、日本刀と同様に刀身部側に模擬刀の重心を形成することで使用感覚を実際の刀に近づけることができる。
【図面の簡単な説明】
【００１４】
【図１】本発明の実施形態に係る模擬刀の横臥状態を示す斜視図である。
【図２】本発明の実施形態に係る模擬刀の内部構造を示す長手方向に切断した断面図である。
【図３】本発明の実施形態に係る模擬刀を示す図２のＡ−Ａ断面図である。
【図４】本発明の実施形態に係る模擬刀を示す図２のＢ−Ｂ断面図である。
【発明を実施するための形態】
【００１５】
この発明の要旨は、刀の柄部本体と、刀身部と、その間を仕切った刀鍔部と、より構成した武術用模擬刀において、刀の柄部本体、かつ刀身部に渡って塩化ビニールパイプを共通芯材として設け、刀身部は共通芯材の塩化ビニールパイプの外表面に発泡スチロールを囲繞すると共にその先端面に弾性緩衝材を配設して、細長手状の厚手布袋中に発泡スチロールと共に塩化ビニールパイプを収納して構成し、刀の柄部本体は共通芯材の上下周面に上下棒状木材を当接し、共通芯材と共に上下棒状木材の表面を紐体で巻きつけて柄部本体とし、しかも、刀身部の周面の上下半月弧位置に長手方向に向かって上下の目印ラインを表示し、さらに、刀の柄部本体と刀身部との略直径の大きさを比１：２としたことにある。
本発明の実施形態を図１から図４に基づき詳細に説明する。
【００１６】
本発明の模擬刀１００は、図１に示すように、刀の柄部本体１０と、刀身部２０と、その間を仕切った刀鍔部３０と、で構成している。
【００１７】
柄部本体１０は、図２の模擬刀１００の断面図に示すように、刀身部２０と連通した共通芯材１１と、柄部本体１０に位置する共通芯材１１の周面の長手方向に沿って対向位置に配設した上下棒状木材１２，１２と、共通芯材１１及び上下棒状木材１２，１２を囲繞する紐体１３と、共通芯材１１の終端部に設けた柄頭１４とで構成されている。
【００１８】
共通芯材１１は、図３に示すように、刀身部２０まで連通しており中身を中空状とした略円筒状に構成している。共通芯材１１は塩化ビニールで構成されており、練習や試合中に打突したとしても変形する虞が低い変形耐性を備えている。なお、共通芯材１１は塩化ビニールパイプに限定されることなく、同じ材質同士の打突時に変形や破損する虞が低い弾性力や可撓性の素材で構成されていればどのような素材でも良く、例えば、グラスファイバで構成されていても良い。
【００１９】
また、共通芯材１１は周面の長手方向に沿った対向位置に上下棒状木材１２,１２を貼着している。上下棒状木材１２,１２は、断面四角状の角棒であり、柄部本体１０の終端部から刀鍔部３０の鍔３１の下面部まで延設している。また、共通芯材１１及び上下棒状木材１２,１２はその外周面を紐体１３で囲繞されている。また、柄部本体１０の終端部、すなわち、共通芯材１１の終端部には柄頭１４を設けている。
【００２０】
柄頭１４は断面略楕円形状で、その内周面は短軸の長さを共通芯材１１の直径と略同等に構成し、長軸の長さを共通芯材１１の直径と共通芯材１１の周面に貼着した２つの上下棒状木材１２，１２と紐体１３の直径２本分を足し合わせた長さと略同等に構成している。この柄頭１４の開口部１４ａに共通芯材１１と上下棒状木材１２，１２と紐体１３とを挿嵌することで柄部本体１０を形成している。
【００２１】
このように柄部本体１０を縦長状の断面楕円形状に構成することで、握り易い把持形態を実現し、模擬刀１００を振り易い形態に構成している。
【００２２】
刀身部２０は、図２に示すように、略円筒状の共通芯材１１と、刀身部２０に配設された共通芯材１１を囲繞する発泡スチロール２１と、共通芯材１１及び発泡スチロール２１を纏めて囲繞する厚手布袋２２と、厚手布袋２２の周面の長手方向に設けた目印ライン２３，２４とで構成している。
【００２３】
発泡スチロール２１は、略円筒状でその内径は共通芯材１１の外径と略同等に構成している。刀身部２０は共通芯材１１を発泡スチロール２１の開口部２１ａ側から挿入することでその形態を構成している。なお、発泡スチロール２１は打突した際の衝撃を緩和するために設けており、その材質は適度な強度を備えた発泡樹脂製の素材で構成されていれば良い。
【００２４】
また、共通芯材１１の先端部、すなわち、刀身部２０の先端部には円柱２５ａの中央に弾性の嵌入凸部２５ｂを構成し、この嵌入凸部２５ｂをパイプ状の共通芯材１１の開口部１１ａに嵌入することで共通芯材１１の先端部を構成している。
【００２５】
また、刀身部２０は周面全体を厚手布袋２２で囲繞して構成している。
厚手布袋２２は、不織布を素材とし一端部に開口部２２ａを形成し、他端部は不織布同士を平面視略中央部で縫製して閉塞部２２ｂを形成することにより細長手状の布袋に構成している。
【００２６】
閉塞部２２ｂには刀身部２０の峰と刃を示すための細長手状の目印ライン２３，２４の一端部を一体に縫製している。刀身部２０の峰と刃を示すための細長手状の目印ライン２３，２４の他端部は刀身部２０の先端部から基端部まで厚手布袋２２の外側面に沿って帯状に配設しており、刀身部２０における刃と峰を示している。また、目印ライン２３，２４はそれぞれ色づけされており、刀身部２０の刃を示す目印ライン２３は赤色、刀身部２０の峰を示す目印ライン２４は白色で構成している。このように目印ライン２３，２４を別の色で構成することで練習や試合中に接触した刀身部２０が刃側か峰側かの判断をし易くしている。なお、本実施形態では目印ライン２３，２４の色を赤色と白色で示しているが、目印ライン２３，２４の色はこの色に特に限定されるわけではなく、青色と黄色の組合せなど刃と峰の判断がしやすいように色分けされていれば良い。
【００２７】
また、刀身部２０の基端部と柄部本体１０の基端部の間に刀鍔部３０を設けている。刀鍔部３０は正面視略四角形状の鍔３１で構成しており、特に四角形状とすることで本発明の模擬刀を平面上に載置して寝かせた際に転動しないように構成している。また、鍔３１の略中央部には共通芯材１１を挿通するための挿通孔３２を穿設している。
【００２８】
また、鍔３１の上面は刀身部２０の発泡スチロール２１の終端部と接触しており、下面は柄部本体１０の上下棒状木材１２，１２及び紐体１３と接触することで固定されている。
なお、鍔３１は練習や試合時に相手から切りつけられた際に柄部本体１０を把持している手を防御する役割や打突した際に把持手が刃側に滑らないように作用する。
【００２９】
また、鍔３１は模擬刀１００を振り下ろす際の柄部本体１０と刀身部２０との重量バランスを担っており、実際の刀同様に刀の重量で刀身部２０を振り下ろし易い位置に構成している。特に本実施形態では模擬刀１００を構成する柄部本体１０の径と刀身部２０の径を比１：２として構成することで刀身部２０側に模擬刀１００の重心を位置させ、さらに、鍔３１を柄部本体１０と刀身部２０との間に設けることで振り下ろし易い重量バランスを生起している。
【００３０】
このように構成した模擬刀１００を作製する手順について説明する。
まず、共通芯材１１の刀身部２０に該当する部分の周囲を発泡スチロール２１で囲繞する。
次に、共通芯材１１の開口部１１ａに円柱２５ａの中央に弾性体で構成した嵌入凸部２５ｂを挿通する。その後、厚手布袋２２を円柱２５ａの先端部から発泡スチロール２１の終端部にかけて被せることで刀身部２０が形成される。
【００３１】
次に、柄部本体１０に位置する共通芯材１１の基端部から鍔３１の挿通孔３２を共通芯材１１に挿通し、刀身部２０の下端部、すなわち、発泡スチロール２１の下端部に接触する位置まで鍔３１を移動させて刀鍔部３０を形成する。
【００３２】
次に、柄部本体１０に位置する共通芯材１１の周面の長手方向に沿って対向位置に上下棒状木材１２，１２を両面テープで固定する。
次に、共通芯材１１及び上下棒状木材１２，１２の基端部、すなわち、刀鍔部３０の下端部から共通芯材１１の終端部まで紐体１３を巻きつける。なお、巻きつける紐体１３の始端部と終端部は共通芯材１１や上下棒状木材１２,１２にビニールテープなどで巻きつけて固定している。
【００３３】
次に、共通芯材１１の終端部から柄頭１４の開口部１４ａを挿通することで共通芯材１１と上下棒状木材１２，１２と紐体１３を覆い柄部本体１０が形成される。
【００３４】
以上の手順により形成された模擬刀１００は、日本刀と類似の形態、重量とすることで使用感覚を実際の刀に近づけると共に、稽古や試合中の打突時に怪我をする虞がなく、また、破損などにより使用できなくなる虞のない模擬刀１００を提供できる。
【００３５】
なお、本発明は上述した実施形態に限られず、上述した実施形態の中で開示した各構成を相互に置換したり組合せを変更したりした構成、公知発明並びに上述した実施形態の中で開示した各構成を相互に置換したり組合せを変更したりした構成、等も含まれる。また、本発明の技術的範囲は上述した実施形態に限定されず、特許請求の範囲に記載された事項とその均等物まで及ぶものである。
【符号の説明】
【００３６】
１０  柄部本体
１１  共通芯材
１１ａ開口部
１２  上下棒状木材
１３  紐体
１４  柄頭
１４ａ開口部
２０  刀身部
２１  発泡スチロール
２１ａ開口部
２２  厚手布袋
２２ａ  開口部
２２ｂ  閉塞部
２３、２４  目印ライン
２５ａ  円柱
２５ｂ  嵌入凸部
３０  刀鍔部
３１  鍔
３２  挿通孔
１００  模擬刀
【図１】
2020025807.tif 000003
【図２】
2020025807.tif 000004
【図３】
2020025807.tif 000005
【図４】
2020025807.tif 000006
【手続補正書】
【提出日】令和1年10月3日(2019.10.3)
【手続補正１】
【補正対象書類名】特許請求の範囲
【補正対象項目名】全文
【補正方法】変更
【補正の内容】
【特許請求の範囲】
【請求項１】
刀の柄部本体と、刀身部とその間を仕切った刀鍔部と、より構成した武術練習用模擬刀において、刀の柄部本体から刀身部に渡って塩化ビニールパイプを共通芯材として設け、刀身部は共通芯材の塩化ビニールパイプの外表面に発泡スチロールを囲繞すると共にその先端面に弾性緩衝材を配設して、細長手状の布袋中に刀身部を収納して構成し、刀の柄部本体は共通芯材の周面のうち上下側半円弧周面に上下棒状木材を当接し、共通芯材と共に上下棒状木材の表面を紐体で巻きつけて略断面楕円形の柄部本体とし、しかも、刀身部の周面の上下側半円弧位置に長手方向に向かって上下の目印ラインを表示し、更には、刀の柄部本体と刀身部との略直径の大きさの比を１：２としたことを特徴とした模擬刀。
【手続補正２】
【補正対象書類名】明細書
【補正対象項目名】０００８
【補正方法】変更
【補正の内容】
【０００８】
本発明の態様の１つは、刀身部とその間を仕切った刀鍔部と、より構成した武術練習用模擬刀において、刀の柄部本体から刀身部に渡って塩化ビニールパイプを共通芯材として設け、刀身部は共通芯材の塩化ビニールパイプの外表面に発泡スチロールを囲繞すると共にその先端面に弾性緩衝材を配設して、細長手状の布袋中に刀身部を収納して構成し、刀の柄部本体は共通芯材の周面のうち上下側半円弧周面に上下棒状木材を当接し、共通芯材と共に上下棒状木材の表面を紐体で巻きつけて略断面楕円形の柄部本体とし、しかも、刀身部の周面の上下側半円弧位置に長手方向に向かって上下の目印ラインを表示し、更には、刀の柄部本体と刀身部との略直径の大きさの比を１：２としたことを特徴とした模擬刀である。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】変更
【補正の内容】
【００１１】
本発明にかかる模擬刀によれば、刀身部とその間を仕切った刀鍔部と、より構成した武術練習用模擬刀において、刀の柄部本体から刀身部に渡って塩化ビニールパイプを共通芯材として設け、刀身部は共通芯材の塩化ビニールパイプの外表面に発泡スチロールを囲繞すると共にその先端面に弾性緩衝材を配設して、細長手状の布袋中に刀身部を収納して構成し、刀の柄部本体は共通芯材の周面のうち上下側半円弧周面に上下棒状木材を当接し、共通芯材と共に上下棒状木材の表面を紐体で巻きつけて略断面楕円形の柄部本体とし、しかも、刀身部の周面の上下側半円弧位置に長手方向に向かって上下の目印ラインを表示し、更には、刀の柄部本体と刀身部との略直径の大きさの比を１：２としたため、練習や試合中に刀身同士を接触したとしても変形することなく長期間使用できる。
また、塩化ビニールで構成した共通芯材を発泡スチロールで囲繞することで打撃した際の衝撃を吸収する緩衝材として作用し、対戦相手に打突した際にも相手を傷つける虞を可及的に低減している。
さらに、共通芯材を発泡スチロールで囲繞するように刀身部を構成しているため、万一共通芯材が折れた際にも最内の共通芯材を交換するだけで修復可能な構成としている。
また、布袋で刀身部を囲繞しているため、共通芯材や発泡スチロールが破損したとしてもその破片が飛散する虞を可及的に低減している。
また、刀の柄部本体を共通芯材である塩化ビニールの上下周面に上下棒状木材を当接し、その上下棒状木材を紐体で巻きつける構成としたため、柄部本体が断面楕円形状となり、人の手で掴み易い形状を形成して練習中や試合中に模擬刀が手から抜け落ちる虞を可及的に低減している。また、刀の柄部本体を楕円形状にすることで刀身部の刃と峰の方向を手で握った感触で認識でき、刃の方向がどこを向いているかを視認する必要がない。
また、刀身部の周面に上下の目印ラインを表示したため、練習や試合中に対戦相手に刃が接触したかそれ以外の部分が接触したかが判定し易い。
また、刀の柄部本体と刀身部との略直径の大きさを比１：２としたため、刀身部の幅が広く試合での判定がし易い効果がある。また、柄部本体の直径を小さくすることで握り易い形態とし、さらに、日本刀と同様に刀身部側に模擬刀の重心を形成することで使用感覚を実際の刀に近づけることができる。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１５
【補正方法】変更
【補正の内容】
【００１５】
この発明の要旨は、刀身部とその間を仕切った刀鍔部と、より構成した武術練習用模擬刀において、刀の柄部本体から刀身部に渡って塩化ビニールパイプを共通芯材として設け、刀身部は共通芯材の塩化ビニールパイプの外表面に発泡スチロールを囲繞すると共にその先端面に弾性緩衝材を配設して、細長手状の布袋中に刀身部を収納して構成し、刀の柄部本体は共通芯材の周面のうち上下側半円弧周面に上下棒状木材を当接し、共通芯材と共に上下棒状木材の表面を紐体で巻きつけて略断面楕円形の柄部本体とし、しかも、刀身部の周面の上下側半円弧位置に長手方向に向かって上下の目印ラインを表示し、更には、刀の柄部本体と刀身部との略直径の大きさの比を１：２としたことにある。
【手続補正９】
【補正対象書類名】明細書
【補正対象項目名】００２２
【補正方法】変更
【補正の内容】
【００２２】
刀身部２０は、図２に示すように、略円筒状の共通芯材１１と、刀身部２０に配設された共通芯材１１ｂを囲繞する発泡スチロール２１と、共通芯材１１ｂ及び発泡スチロール２１を纏めて囲繞する布袋２２と、布袋２２の周面の長手方向に設けた目印ライン２３，２４とで構成している。
【手続補正１０】
【補正対象書類名】明細書
【補正対象項目名】００２５
【補正方法】変更
【補正の内容】
【００２５】
また、刀身部２０は周面全体を布袋２２で囲繞して構成している。
布袋２２は、不織布を素材とし一端部に開口部２２ａを形成し、他端部は不織布同士を平面視略中央部で縫製して閉塞部２２ｂを形成することにより細長手状の布袋に構成している。
【手続補正１１】
【補正対象書類名】明細書
【補正対象項目名】００２６
【補正方法】変更
【補正の内容】
【００２６】
閉塞部２２ｂには刀身部２０の峰と刃を示すための細長手状の目印ライン２３，２４の一端部を延設して縫製している。刀身部２０の峰と刃を示すための細長手状の目印ライン２３，２４の他端部は刀身部２０の先端部から基端部まで布袋２２の外側面に沿って帯状に配設しており、刀身部２０における刃と峰を示すと共に、また、目印ライン２３，２４はそれぞれ色づけされており、刀身部２０の刃を示す目印ライン２３は赤色、刀身部２０の峰を示す目印ライン２４は白色で構成している。このように目印ライン２３，２４を別の色で構成することで練習や試合中に接触した刀身部２０が刃側か峰側かの判断をし易くしている。なお、本実施形態では目印ライン２３，２４の色を赤色と白色で示しているが、目印ライン２３，２４の色はこの色に特に限定されるわけではなく、青色と黄色の組合せなど刃と峰の判断がしやすいように色分けされていれば良い。
【手続補正１２】
【補正対象書類名】明細書
【補正対象項目名】００３０
【補正方法】変更
【補正の内容】
【００３０】
このように構成した模擬刀１００を作製する手順について説明する。
まず、共通芯材１１の刀身部２０に該当する部分の周囲を発泡スチロール２１で囲繞する。
次に、共通芯材１１の開口部２１ａに円柱２５ａの中央に構成した弾性の嵌入凸部２５ｂを挿通する。その後、布袋２２を円柱２５ａの上部から発泡スチロール２１の終端部にかけて被せることで刀身部２０が形成される。
【手続補正１３】
【補正対象書類名】明細書
【補正対象項目名】００３６
【補正方法】変更
【補正の内容】
【００３６】
１０  柄部本体
１１  共通芯材
１１ａ，１１ｂ  共通芯材
１２  上下棒状木材
１３  紐体
１４  柄頭
２０  刀身部
２１  弾性緩衝材
２２  布袋
２２ａ  開口部
２２ｂ  閉塞部
２３、２４  目印ライン
２５ａ  円柱
２５ｂ  嵌入凸部
３０  刀鍔部
３１  鍔
３２  挿通孔
１００  模擬刀